(57)【要約】【課題】  構成が簡単で部品点数の少ないレーザプリンタを提供する。【解決手段】  レーザプリンタは、感光体ドラムと、感光体ドラムに接触するように形成された転写ローラと、転写ローラを保持する転写ローラフレーム２０と、転写ローラフレーム２０を保持する外枠フレーム２１と、転写ローラフレーム２０に固定された除電ブラシ３と、少なくとも表面が導電性材料で形成され、転写ローラを感光体ドラムに向かって付勢するためのばね１０とを備える。ばね１０は、一つの部材から形成され、第１延在部１２が除電ブラシ３に接触するように形成され、第２延在部１３が外枠フレーム２１に接触するように形成されている。【選択図】        図５
2005352279.tif 000002
【特許請求の範囲】
【請求項１】
円柱状の感光体ドラムと、
円柱状に形成され、前記感光体ドラムと線接触するように配置された転写ローラと、
前記転写ローラの回転シャフトを保持して、前記転写ローラを覆うように形成された転写ローラフレームと、
前記転写ローラフレームが揺動自在になるように固定された金属製の外枠フレームと、
前記転写ローラフレームを前記感光体ドラムに向かって付勢されるように形成された金属製のばねと、
前記転写ローラフレームの外面に配置された除電ブラシと
を備え、前記ばねは、１本の線状部材から形成され、
前記ばねは、螺旋部と、
前記螺旋部から前記除電ブラシに向かって延びるように形成され、前記除電ブラシに接触する第１延在部と、
前記螺旋部から前記外枠フレームに向かって延びるように形成され、前記外枠フレームに接触する第２延在部と
を含み、
前記第１延在部は、前記除電ブラシの表面に沿って平面的に曲がる部分を有し、
前記第１延在部は、前期除電ブラシの表面に向かって付勢されるように形成され、
前記第２延在部は、前記外枠フレームの表面に沿って平面的に曲がる部分を有し、
前記第２延在部は、前期外枠フレームの表面に向かって付勢されるように形成された、レーザプリンタ。
【請求項２】
外枠フレームと、
感光体ドラムと、
前記感光体ドラムに接触するように形成された転写ローラと、
前記転写ローラを保持する転写ローラフレームと、
前記転写ローラフラームに固定された除電ブラシと、
少なくとも表面が導電性材料で形成され、前記転写ローラが前記感光体ドラムに向かって付勢されるための弾性手段と
を備え、前記弾性手段は、一つの部材から形成され、
一方の端部が前記除電ブラシに接触するように形成され、
他方の端部が前記外枠フレームに接触するように形成された、レーザプリンタ。
【請求項３】
前記弾性手段は、金属製の１つの線状部材から形成され、
前記弾性手段は、螺旋部と、
前記除電ブラシに向かって延びるように形成され、前記除電ブラシに接触する第１延在部と、
前記外枠フレームに向かって延びるように形成され、前記外枠フレームに接触する第２延在部と
を含む、請求項２に記載のレーザプリンタ。
【請求項４】
前記第１延在部は、線状に形成され、前記除電ブラシの表面に向かって付勢されるように形成された、請求項３に記載のレーザプリンタ。
【請求項５】
前記第２延在部は、線状に形成され、前記外枠フレームの表面に向かって付勢されるように形成された、請求項３または４に記載のレーザプリンタ。
【発明の詳細な説明】
【技術分野】
【０００１】
本発明は、レーザプリンタに関する。特に、レーザプリンタの除電ブラシを接地するための構造に関する。
【背景技術】
【０００２】
レーザプリンタにおいては、レーザ光によって帯電した感光体ドラムの表面にトナーが配置され、感光体ドラムと転写ローラとで紙が挟まれることによって、紙などの表面に転写すべき形状にトナーが配置される。紙などの表面に配置されたトナーは、定着ローラによって紙などに定着されて排出される。
【０００３】
感光体ドラムと転写ローラとに挟まれる部分を通過した紙などは、静電気が帯電している。この静電気を除電するために、転写ローラと感光体ドラムとに挟まれる部分を出た紙などに近接するように、紙などを除電するための除電ブラシが配置されている。
【０００４】
たとえば、特開平９−１１４２７７号公報においては、除電針の大きな除電効果を得られるように、所定の除電領域に除電針が配置された転写装置が開示されている。この装置においては、たとえ、転写装置のカバーの取付状態にがたつきが生じても、ばね接点の弾性によりがたつきが補償され、除電針と転写ニップとの相対的な位置関係が一定に保たれると開示されている。
【０００５】
また、図７に、特開２００１−１５４４９５号公報に開示されている画像形成装置の断面図を示す。紙などは、搬送経路７２に沿って、矢印６１に示される向きに搬送される。紙などは、転写ローラ５１と回転ローラ５２とに挟まれて搬送される。転写ローラ５１のまわりには、搬送ガイド５７が配置され、搬送ガイド５７に規制部材５４が接合されている。
【０００６】
除電ブラシ５３は、規制部材５４に接合され、規制部材５４は、延長接触部５５および接地板５６を介して板６０に接続されている。板６０が接地されることによって、除電ブラシ５３の除電が行なわれている。このように、除電ブラシのブラシ部に接触して規制する部材を導電性として、除電ブラシのブラシ部を接地可能とすることにより、確実にブラシ部が接地され、転写材の除電が行なわれると開示されている。
【特許文献１】特開平９−１１４２７７号公報
【特許文献２】特開２００１−１５４４９５号公報
【発明の開示】
【発明が解決しようとする課題】
【０００７】
除電ブラシは、紙などの帯電を除去するためのものである。紙などの除電を行なわないと、紙などが感光体ドラムに吸着されるという問題が生じる。すなわち、感光体ドラムから、紙などが剥がれにくくなり、紙などの搬送に障害が生じる。また、紙などが帯電したまま搬送が継続されると、搬送の途中に他の部品に紙などが吸着されるという問題が生じる。すなわち、搬送性能が悪化するという問題が生じる。このため、感光体ドラムを出た直後の搬送経路において、紙などの除電を確実に行なう必要がある。
【０００８】
上記の特開平９−１１４２７７号公報および特開２００１−１５４４９５号公報に開示された装置においては、除電を行なうための除電ブラシが形成されているが、除電ブラシを接地するための機構が複雑であるという問題があった。また、部品点数が多く、生産性が悪いという問題があった。
【０００９】
本発明は、上記の問題点を解決するためになされたものであり、構成が簡単で部品点数の少ないレーザプリンタを提供することを目的とする。
【課題を解決するための手段】
【００１０】
上記目的を達成するため、本発明に基づくレーザプリンタは、円柱状の感光体ドラムと、円柱状に形成され、上記感光体ドラムと線接触するように配置された転写ローラと、上記転写ローラの回転シャフトを保持して、上記転写ローラを覆うように形成された転写ローラフレームと、上記転写ローラフレームが揺動自在になるように固定された金属製の外枠フレームと、上記転写ローラフレームを上記感光体ドラムに向かって付勢されるように形成された金属製のばねと、上記転写ローラフレームの外面に配置された除電ブラシとを備える。上記ばねは、１本の線状部材から形成されている。上記ばねは、螺旋部と、上記螺旋部から上記除電ブラシに向かって延びるように形成され、上記除電ブラシに接触する第１延在部と、上記螺旋部から上記外枠フレームに向かって延びるように形成され、上記外枠フレームに接触する第２延在部とを含む。上記第１延在部は、上記除電ブラシの表面に沿って平面的に曲がる部分を有し、上記第１延在部は、前記除電ブラシの表面に向かって付勢されるように形成され、上記第２延在部は、上記外枠フレームの表面に沿って平面的に曲がる部分を有し、上記第２延在部は、前記外枠フレームの表面に向かって付勢されるように形成されている。この構成を採用することにより、構成が簡単で部品点数の少ないレーザプリンタを提供することができる。
【００１１】
上記目的を達成するため、本発明に基づくレーザプリンタは、外枠フレームと、感光体ドラムと、上記感光体ドラムに接触するように形成された転写ローラと、上記転写ローラを保持する転写ローラフレームと、上記転写ローラフレームに固定された除電ブラシと、少なくとも表面が導電性材料で形成され、上記転写ローラが上記感光体ドラムに向かって付勢されるための弾性手段とを備える。上記弾性手段は、一つの部材から形成され、一方の端部が上記除電ブラシに接触するように形成され、他方の端部が上記外枠フレームに接触するように形成されている。この構成を採用することにより、構成が簡単で部品点数の少ないレーザプリンタを提供することができる。
【００１２】
上記発明において好ましくは、上記弾性手段は、金属製の１つの線状部材から形成され、上記弾性手段は、螺旋部と、上記除電ブラシに向かって延びるように形成され、上記除電ブラシに接触する第１延在部と、上記外枠フレームに向かって延びるように形成され、上記外枠フレームに接触する第２延在部とを含む。この構成を採用することにより、上記弾性手段を容易に形成することができる。
【００１３】
上記発明において好ましくは、上記第１延在部は、線状に形成され、上記除電ブラシの表面に向かって付勢されるように形成されている。この構成を採用することにより、上記第１延在部を、上記除電ブラシに確実に接触させることができる。
【００１４】
上記発明において好ましくは、上記第２延在部は、線状に形成され、上記外枠フレームの表面に向かって付勢されるように形成されている。この構成を採用することにより、上記第２延在部を、上記外枠フレームに確実に接触させることができる。
【発明の効果】
【００１５】
本発明によれば、構成が簡単で部品点数の少ないレーザプリンタを提供することができる。
【発明を実施するための最良の形態】
【００１６】
（構成）
図１から図６を参照して、本発明に基づく実施の形態におけるレーザプリンタについて説明する。
【００１７】
図１は、本実施の形態におけるレーザプリンタの概略断面図である。レーザプリンタの各部品は、筐体４０の内部に配置されている。筐体４０の下部には、被印刷物としての紙など（本発明においては、紙やセロハンシートなどの被印刷物を「紙など」という。）が配置された用紙トレイ３８が配置されている。用紙トレイ３８の端部の上方には、紙などが、用紙トレイ３８から取出されるためのピックローラ３１が配置されている。紙などは、搬送経路７１に沿って、矢印６１に示す向きに搬送される。
【００１８】
搬送経路７１の周りには、紙などを搬送するための搬送ローラ３２、トナーを所望の形状に紙などの表面に配置するための感光体ドラム２および転写ローラ１が配置されている。また、搬送経路７１の周りには、表面に配置されたトナーを紙などに定着させるための定着ローラ３３が配置されている。
【００１９】
搬送経路７１のうち、紙などが感光体ドラム２に接触した直後の部分に近接する位置には、除電ブラシ３が配置されている。本実施の形態においては、除電ブラシ３のブラシ部は、搬送経路７１から一定の間隔をあけて配置されている。
【００２０】
筐体４０のほぼ中央部分には、トナーカートリッジ３９が配置されている。トナーカートリッジ３９の内部にはトナーが充填されている。トナーカートリッジ３９は、取替えが可能なように形成され、トナーが不足した場合には、トナーカートリッジ３９を取り替えることができるように形成されている。図１においては、向かって右側がプリンタの前側であり、紙などの被印刷物は、前側に向かって排出されるように形成されている。
【００２１】
本実施の形態においては、感光体ドラム２は、筐体４０の内部の後側に配置されている。感光体ドラム２と転写ローラ１とは、被印刷物としての紙などを挟むように配置されている。感光体ドラム２は、ディベロッパロール３４と接触するように配置されている。
【００２２】
転写ローラ１のまわりには、転写ローラ１を覆うように転写ローラフレーム２０が形成されている。本実施の形態においては、転写ローラ１、感光体ドラム２、ディベロッパロール３４などの各種ローラは、円柱状に形成されている。
【００２３】
図２に、転写ローラフレーム２０を背面側から見たときの斜視図を示す。転写ローラフレーム２０は、転写ローラの外形である円柱状の形状に沿うように形成されている。転写ローラフレーム２０の上面には、除電ブラシ３が配置されている。除電ブラシ３は長手方向を有するように、転写ローラフレーム２０の上面の端部に沿って形成されている。転写ローラフレーム２０の側方には、金属で形成された外枠フレーム２１が配置されている。
【００２４】
転写ローラフレーム２０は、長手方向を有するように形成され、該長手方向と転写ローラの軸方向とが、ほぼ平行になるように形成されている。転写ローラフレーム２０の背面において、該長手方向の両方の端の部分には、凹部２５および凹部２９が形成されている。
【００２５】
凹部２５は、転写ローラフレーム２０の長手方向に垂直な方向に貫通するように、溝状に形成されている。凹部２９は、転写ローラフレーム２０の背面に、凹んだ部分が形成されている。
【００２６】
本実施の形態においては、転写ローラを感光体ドラムに向かって付勢するための弾性手段として、ばね１０，１９とが形成されている。本実施の形態においては、ばね１０，１９は、ともにそれぞれ金属で形成されている。ばね１０は、一部が凹部２５の内部に配置され、ばね１９は、一部が凹部２９の内部に配置されている。ばね１０およびばね１９は、転写ローラフレーム２０を感光体ドラム２に向かって付勢するように形成されている。転写ローラフレーム２０の下方には、高圧発生板２８が形成され、円錐ばね２６および接続線２７を介して、高圧発生板２８とばね１９とが電気的に接続されている。
【００２７】
図３に、転写ローラと弾性手段としてのばねとの部分の拡大断面図を示す。感光体ドラム２は、円柱状に形成され、矢印６２に示すように回転シャフト４７を回転軸として回転するように形成されている。転写ローラ１は、回転シャフト４６を回転軸として、矢印６２に示す感光体ドラム２の回転に合せて回転するように形成されている。転写ローラ１は、円柱状に形成され、感光体ドラム２と線接触するように配置されている。転写ローラ１の回転シャフト４６は、転写ローラフレーム２０に保持されている。
【００２８】
転写ローラフレーム２０には、支持シャフト４５が形成されている。支持シャフト４５は、外枠フレーム２１に固定されている。転写ローラフレーム２０は、支持シャフト４５を支軸として、揺動するように形成されている。転写ローラ１は、転写ローラフレーム２０とともに、一体的に揺動するように形成されている。
【００２９】
転写ローラフレーム２０の外面のうち、感光体ドラム２に向かう側の端部には、除電ブラシ３が配置されている。本実施の形態においては、除電ブラシ３は、除電を行なうためのブラシ部４と、ブラシ部４を電気的に接続するための導電性テープ部５とを備える。本実施の形態においては、ブラシ部４が、転写ローラフレーム２０と導電性テープ部５とに挟まれて固定されている。導電性テープ部５は、平面状に形成され、表面には平面的な部分が形成されている。
【００３０】
図４に、転写ローラ１および転写ローラフレーム２０を、感光体ドラムが配置される側から見たときの斜視図を示す。転写ローラフレーム２０の後側には、外枠フレーム２２が形成されている。外枠フレーム２２は、樹脂で形成されている。除電ブラシ３のブラシ部４は、互いに一定の間隔をあけて、感光体ドラムの側に向かうように配置されている。転写ローラフレーム２０の感光体ドラムに向かう側は、開口するように形成されている。
【００３１】
図２および図３を参照して、転写ローラフレーム２０に形成された凹部２５には、転写ローラフレーム２０を介して転写ローラ１を感光体ドラム２に向かって付勢するためのばね１０が配置されている。ばね１０は、１本の線状部材から形成されている。ばね１０は、線状部材が螺旋形状に巻かれた螺旋部１１を含む。螺旋部１１は、転写ローラ１を感光体ドラム２に向かって付勢するように形成されている。螺旋部１１の端部のうち一方の端部は、外枠フレーム２２に形成された台座部６に当接して、他方の端部は、転写ローラフレーム２０に形成された凹部２５の底面に当接している。また、ばね１０に形成されたコイル部１６は、外枠フレーム２２の突起部７に巻回されている。
【００３２】
図５に、ばね１０の部分の拡大斜視図を示す。ばね１０は、螺旋部１１から除電ブラシ３に向かって延びるように形成され、除電ブラシ３に接触する第１延在部１２を含む。第１延在部１２は、螺旋部１１から凹部２５の表面に沿うように延在している部分を含む。第１延在部１２は、転写ローラフレーム２０の外面に沿うように延在している部分を含む。
【００３３】
第１延在部１２は、先端部に除電ブラシ３の表面に沿って、平面的に曲がる第１曲線部１４を有する。第１曲線部１４は、平面形状がＵ字形に形成されている。第１曲線部１４は、Ｕ字形の部分が除電ブラシ３の導電性テープ部５の表面の平面的な部分に接触するように形成されている。第１延在部１２は、除電ブラシ３の表面に向かって、付勢するように形成されている。すなわち、第１延在部１２は、第１延在部１２の線状部材の弾性によって、第１曲線部１４が、導電性テープ部５に押付けられるように形成されている。
【００３４】
ばね１０は、螺旋部１１から外枠フレーム２１に向かって延びるように形成され、外枠フレーム２１に接触する第２延在部１３を含む。第２延在部１３は、側方に向かって延びるように形成されている。第２延在部は、外枠フレーム２１に接触する部分である第２曲線部１５と、第２曲線部１５を外枠フレーム２１の表面に向かって付勢するように形成されたコイル部１６とを含む。
【００３５】
第２延在部１３は、先端部に除電ブラシ３の表面に沿って、平面的に曲がる第２曲線部１５を有する。第２曲線部１５は、平面形状がＵ字形になるように形成されている。第２曲線部１５は、外枠フレーム２１の平面的な部分に接触するように配置されている。第２延在部１３は、コイル部１６を含む。コイル部１６は、第２曲線部１５が外枠フレーム２１に向かって付勢されるように形成されている。
【００３６】
（作用・効果）
図１において、被印刷物としての紙などは、用紙トレイ３８に配置される。紙などは、搬送経路７１に沿って搬送される。紙などは、ピックローラ３１によって用紙トレイ３８から１枚ずつ取出され、搬送ローラ３２によって、感光体ドラム２に搬送される。
【００３７】
トナーカートリッジ３９の内部では、ディベロッパロール３４が回転することによって、トナーカートリッジ３９の内部に配置されたトナーが、感光体ドラム２に供給される。紙などの表面には、感光体ドラム２と転写ローラ１とに挟まれて、運搬されながら印刷の形状にトナーが配置される。
【００３８】
転写ローラ１と感光体ドラム２とに挟まれる部分を通過した紙などは、直後に配置された除電ブラシ３によって除電が行なわれる。この除電を行なうことによって、紙などの被印刷物が、感光体ドラム２の表面に吸着することを防止できる。また、搬送中に他の部品に紙などが吸着して、紙などの搬送に障害が生じることを防止できる。
【００３９】
紙などの被印刷物は、除電ブラシ３によって除電された後に、定着ローラ３３に向かって搬送される。定着ローラ３３にトナーが配置された紙などが接触することにより、配置されたトナーが紙などに定着する。この後に、搬送ローラなどで取出口に搬送される。このように、紙などの被印刷物に対して印刷が行なわれる。
【００４０】
図２において、高圧発生板２８は高電圧になって、円錐ばね２６、接続線２７およびばね１９を介して転写ローラ１に高電圧が供給される。
【００４１】
図３に示すように、感光体ドラム２は、矢印６２に示す向きに回転して、この回転の向きに合せて、転写ローラ１が回転する。ばね１０の螺旋部１１によって、転写ローラ１が感光体ドラム２に向かって付勢されることにより、転写ローラ１と感光体ドラム２とが適度な押圧力で接触して、紙の搬送とトナーの配置とを同時に行なうことができる。
【００４２】
図５に示すように、本実施の形態における弾性手段としてのばね１０は、１つの部材から形成され、ばね１０の一方の端部が除電ブラシ３に接触するように形成され、他方の端部が、金属製の外枠フレーム２１に接触するように形成されている。この構成を採用することにより、転写ローラの付勢と、除電ブラシの接地とを、１つの部材で行なうことができ、構成が簡単で部品点数の少ないレーザプリンタを提供することができる。本実施の形態においては、第１延在部１２、螺旋部１１および第２延在部１３を介して、除電ブラシ３と外枠フレーム２１とを電気的に接続することができ、除電ブラシ３の接地を行なうことができる。
【００４３】
本実施の形態においては、弾性手段としてのばね１０は、金属製の１つの線状部材から形成され、螺旋部１１と、除電ブラシ３に向かって延びるように形成された第１延在部１２と、外枠フレーム２１に向かって延びるように形成された第２延在部１３とを含む。この構成を採用することにより、上記の弾性手段を容易に形成することができる。
【００４４】
また、本実施の形態においては、第１延在部１２は、線状に形成され、除電ブラシ３に向かって付勢するように形成されている。この構成を採用することにより、第１延在部１２を、除電ブラシ３に確実に接触させることができる。また、使用年数が多くなっても、確実に第１延在部と除電ブラシとを接触させることができる。
【００４５】
本実施の形態における第１延在部１２は、第１延在部１２の一部が折り曲げられることにより、第１曲線部１４が除電ブラシ３に向かって付勢されているが、特にこの形態に限られず、第１延在部１２が、除電ブラシ３に向かって付勢されていればよい。たとえば、図６に示すように、第１延在部１８にコイル部１７が形成され、コイル部１７によって第１曲線部１４が除電ブラシ３に向かって付勢されていても構わない。
【００４６】
また、本実施の形態におけるばね１０の第２延在部１３は、線状に形成され、外枠フレーム２１の表面に向かって付勢されるように形成されている。すなわち、第２延在部１３にコイル部１６が形成され、第２曲線部１５が外枠フレーム２１の表面に向かって付勢されるように形成されている。この構成を採用することにより、第２曲線部１５を外枠フレーム２１に向かって確実に接触させることができる。また、長期の使用に対しても、第２延在部１３を外枠フレーム２１に確実に接触させることができる。
【００４７】
本実施の形態においては、第２延在部１３を外枠フレーム２１に向かって付勢するための手段としてコイル部１６が形成されているが、特にこの形態に限られず、たとえば、金属の線状の第２延在部の一部を折り曲げたときの金属の弾性によって、第２延在部１３が外枠フレーム２１に付勢されるように形成されていても構わない。
【００４８】
また、本実施の形態においては、第１延在部１２は、平面的に形成された第１曲線部１４を含む。第１曲線部１４は、除電ブラシ３の表面の平面的な部分に沿うように配置されて、除電ブラシ３に接触している。この構成を採用することにより、第１延在部と除電ブラシとの接触面積を大きくすることができ、除電ブラシの接地を安定して行なうことができる。
【００４９】
また、第２延在部１３は、平面的に形成された第２曲線部１５を有する。第２曲線部１５は、外枠フレーム２１の表面の平面的な部分に沿うように配置され、外枠フレーム２１に接触している。この構成を採用することにより、第２延在部１３と外枠フレーム２１との接触面積を大きくすることができる。したがって、安定した接地を行なうことができる。
【００５０】
本実施の形態においては、除電ブラシが、導電性テープ部とブラシ部とを含んでいるが、特にこの形態に限られず、除電ブラシは、紙などの除電が行なえるように形成されていれば任意の構成で構わない。また、本実施の形態においては、第１延在部が、除電ブラシの上面に接触しているが、特にこの形態に限られず、第１延在部と除電ブラシとが電気的に接続されていればよい。たとえば、除電ブラシに孔が形成され、この孔に第１延在部が挿入されて除電ブラシと第１延在部とが電気的に接続されていても構わない。
【００５１】
また、本実施の形態においては、除電ブラシと電気的に接続されたばねが、金属製の線状部材で形成されているが、特にこの形態に限られず、少なくとも表面が、導電性材料で形成されていれば構わない。また、弾性手段として、螺旋部を含むばねが形成されていたが、特にこの形態に限られず、たとえば、弾性手段が板ばねを含んでいても構わない。
【００５２】
さらに、本実施の形態においては、電気的に弾性手段に接続された外枠フレームは、転写ローラフレームを支持しているが、特にこの形態に限られず、電気的に接続される外枠フレームは、任意の導電性を有するフレームで構わない。また、転写ローラフレームは、別途形成された支持フレームなどに支持されていても構わない。
【００５３】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【図面の簡単な説明】
【００５４】
【図１】実施の形態１におけるレーザプリンタの概略断面図である。
【図２】実施の形態１におけるレーザプリンタの転写ローラフレームの背面斜視図である。
【図３】実施の形態１における転写ローラとばねとの部分の拡大断面図である。
【図４】実施の形態１における転写ローラと転写ローラフレームとの拡大斜視図である。
【図５】実施の形態１における転写ローラフレームに弾性手段が配置されている部分の拡大斜視図である。
【図６】実施の形態１におけるばねにおいて、他の第１延在部の拡大斜視図である。
【図７】従来の技術に基づく転写ローラと感光体ドラムとの部分の拡大断面図である。
【符号の説明】
【００５５】
１  転写ローラ、２  感光体ドラム、３  除電ブラシ、４  ブラシ部、５  導電性テープ部、６  台座部、７  突起部、１０，１９  ばね、１１  螺旋部、１２，１８  第１延在部、１３  第２延在部、１４  第１曲線部、１５  第２曲線部、１６，１７  コイル部、２０  転写ローラフレーム、２１，２２  外枠フレーム、２５，２９  凹部、２６  円錐ばね、２７  接続線、２８  高圧発生板、３１  ピックローラ、３２  搬送ローラ、３３  定着ローラ、３４  ディベロッパロール、３８  用紙トレイ、３９  トナーカートリッジ、４０  筐体、４５  支持シャフト、４６，４７  回転シャフト、５１  転写ローラ、５２  回転ローラ、５３  除電ブラシ、５４  規制部材、５５  延長接触部、５６  接地板、５７  搬送ガイド、６０  板、６１，６２  矢印、７１，７２  搬送経路。
【図１】
2005352279.tif 000003
【図２】
2005352279.tif 000004
【図３】
2005352279.tif 000005
【図４】
2005352279.tif 000006
【図５】
2005352279.tif 000007
【図６】
2005352279.tif 000008
【図７】
2005352279.tif 000009